(57)【特許請求の範囲】
【請求項１】
上下階にわたって複数の居室を配置した建物において、建物本体内の中央に室内階段を設け、この室内階段に沿って上下階方向に多層構造の複数の収納空間を設け、
前記収納空間及び前記室内階段を構成する構成材により、前記建物本体の中央に角筒形のコアを形成するとともに、このコア内に前記収納空間及び室内階段を配置し、
前記室内階段を、前記収納空間に接離するように折り返す折り返し階段としたことを特徴とする多層型収納付き建物。
【請求項２】
前記収納空間の出入り口付近に室内階段の踊り場を設けたことを特徴とする請求項１記載の多層型収納付き建物。
【請求項３】
前記収納空間の出入り口は、各階の所定の居室に面していることを特徴とする請求項１又は２記載の多層型収納付き建物。
【請求項４】
屋根裏に、前記収納空間の上部に位置した屋根裏収納空間を設けたことを特徴とする請求項１乃至３の何れかに記載の多層型収納付き建物。
【請求項５】
地階に、前記収納空間の下部に位置した地階収納空間を設けたことを特徴とする請求項１乃至４の何れかに記載の多層型収納付き建物。
【発明の詳細な説明】
【０００１】
【発明の属する技術分野】
本発明は、収納空間を上下階方向に備えた多層型収納付き建物に関するものである。
【０００２】
【背景の技術】
例えば、一般住宅や集合住宅等の建物内には、物品を収納するために押入、天袋、納戸等が設けられ、また近年では床下空間を利用した床下収納庫、さらには屋根裏収納などが設けれている。
【０００３】
近年においてはその家族構成や生活パターンの変化と共に、住戸内にも家具その他の多くの物品が揃えられ、また、その物品の使用形態も季節等に応じて多用化していることなどから、必要に応じてこれらの物品を建物内に収納しておくための大きな収納空間を必要とするようになってきている。この点は、土地の高騰に伴う敷地の有効利用および建物内容積の有効利用の観点からも、建物内に可能な限り大きくしかも効率的な収納空間を設けておくことが望まれている。
【０００４】
【発明が解決しようとする課題】
しかしながら、このような従来の収納構造においては、単に収納空間を平面的に広くしたいわゆる大型の収納部を床下等に形成したとすると、物品の出し入れ等を行う際に使い勝手が悪いという問題があった。また、このように収納空間を平面的に広く形成しても、例えば間取りとの関係などにおいて開閉蓋を設ける場所や設置数などに制約を受けるためにこれを有効利用しにくいという問題もあった。
【０００５】
一方、例えば住戸内に設けられる納戸のような収納空間においては、ほとんどの場合、手の届く範囲内が有効利用される空間であり、居住性を重視した通常の居室と同じ天井高をとっても、上部は利用されない無駄な空間になっていた。
【０００６】
本発明は、以上のような点を考慮してなされたもので、いわゆる蔵のような大きな収納空間を設けてこれを有効利用することができる上に使い勝手も非常に良好であり、また、収納空間を構成する構造材が強固なコアを構成して建物全体の強度を向上させる構造となる多層型収納付き建物を提供しようとするものである。
【０００７】
【課題を解決するための手段】
本発明の多層型収納付き建物は、上下階にわたって複数の居室を配置した建物において、建物本体内の中央に室内階段を設け、この室内階段に沿って上下階方向に多層構造の複数の収納空間を設け、前記収納空間及び前記室内階段を構成する構成材により、前記建物本体の中央に角筒形のコアを形成するとともに、このコア内に前記収納空間及び室内階段を配置し、前記室内階段を、前記収納空間に接離するように折り返す折り返し階段としたことを特徴としている。
【０００８】
この発明によると、収納空間が建物本体内の中央に上下階方向に区画された多層構造となっているので、これら収納空間の天井高は例えば一般の居室よりも低くなるが、逆に手の届く範囲となるので、上部が無駄な空間とならない。
また、前記収納空間及び前記室内階段を構成する構成材により、前記建物本体の中央に角筒形のコアを形成したので、建物全体の補強強度が向上し、これにより建物の構造強度上からも有効な効果を発揮する。
【０００９】
また、前記収納空間の出入り口付近に、室内階段の踊り場を設けてもよい。このようにすると、踊り場から収納空間へと直接出入りすることができ、収納空間の使い勝手も極めて良好なものとなる。
また、前記収納空間の出入り口を、各階の所定の居室に面するようにしてもよい。このようにすると、居室から収納空間へ直接出入りすることができるので、蔵のような大きな収納空間を設けてもこれを有効利用できる上に使い勝手もさらに良好なものとなる。
【００１０】
また、屋根裏に、前記収納空間の上部に位置した屋根裏収納空間を設けてもよいし、地階に、前記収納空間の下部に位置した地階収納空間を設けてもよい。このように、屋根裏や地階に、収納空間の上下部に位置する地階空間を設けると、建物の内部空間を、効率的かつ有効に利用することができる。
【００１２】
【発明の実施の形態】
以下、本発明に係る実施形態を図面に基づいて説明する。
図１から図４は、第１実施形態の多層型収納付き建物であり、本実施形態は、上下階にわたって複数の居室を配置した建物において、建物本体内の中央に室内階段Ｓ１、Ｓ２、Ｓ３を設け、これら室内階段Ｓ１、Ｓ２、Ｓ３に沿って上下階方向に多層構造の複数の収納空間Ｋ１、Ｋ２、Ｋ３…を設けた構成としている。
【００１３】
以下、これらについて説明すると、本実施形態はパネル組立型の２階建て住戸が例示されており、図１は一階１Ｆの平面図、図２は２階２Ｆの平面図、図３は住戸の内部構造を示す立面図、図４は地階Ｌ部分を示す平面図である。
【００１４】
図１に示す一階１Ｆには、それぞれ複数の居室２、４、玄関６、浴室８、洗面所１０、トイレ１１、キッチン１２等が設けられている。
図２に示す二階２Ｆにも、複数の居室１４、１６、１８、２０、浴室２２、洗面所２４、トイレ２６等が設けられている。
【００１５】
そして、住戸内の中央部には、地階Ｌから一階１Ｆに通じる室内階段Ｓ１、一階１Ｆから２階２Ｆに通じる室内階段Ｓ２、２階２Ｆから屋根裏空間Ｕに通じる室内階段（梯子）Ｓ３が設けられているとともに、これら室内階段Ｓ１…に沿って多層構造の収納空間Ｋ１、Ｋ２、Ｋ３、Ｋ４、Ｋ５が設けられている。
【００１６】
最下層の収納空間Ｋ１は地階Ｌの空間を利用している。また、最上層の収納空間Ｋ５は、屋根裏空間Ｕを利用している。収納空間Ｋ２は一階１Ｆの居室４に面しており、出入り口２８を開けて内部に物品が収納可能となっている。
【００１７】
収納空間Ｋ３は、一階１Ｆから２階２Ｆに通じる室内階段Ｓ２の踊り場３０に面しており、この踊り場３０の出入り口３２を開けて内部に物品が収納可能となっている。
また、収納空間Ｋ４は、２階２Ｆの居室２０に面しており、出入り口３４を開けて内部に物品が収納可能となっている。
【００１８】
そして、室内階段Ｓ１、Ｓ２、Ｓ３、収納空間Ｋ１、Ｋ２、Ｋ３、Ｋ４、Ｋ５を構成するパネル体を含む構成材により、住戸の中央部にタワー状の構造体、すなわち住戸の地階Ｌから屋根裏空間Ｕにかけて角筒型のコアが形成されている。
【００１９】
このように住戸内の中央に室内階段Ｓ１、Ｓ２、Ｓ３を設け、これら室内階段Ｓ１、Ｓ２、Ｓ３に沿って上下階方向に多層構造の複数の収納空間収納空間Ｋ１、Ｋ２、Ｋ３、Ｋ４、Ｋ５を設けたので、収納空間Ｋ１、Ｋ２、Ｋ３、Ｋ４、Ｋ５の天井高は例えば一般の居室（例えば居室２、２０）よりも低くなるが、逆に各居室から簡単に手の届く範囲に配置されているので、上部が無駄な空間とならない。
【００２０】
また、収納空間Ｋ３は、室内階段Ｓ２の踊り場３０に面しているので、踊り場３０から収納空間Ｋ３へと直接出入りすることができ、収納空間Ｋ３の使い勝手も極めて良好なものとなる。
【００２１】
また、収納空間Ｋ２、Ｋ４の出入り口２８、３４を、一、二階の居室４、２０に面するようにしたので、居室４、２０から収納空間Ｋ２、Ｋ４へ直接出入りすることができるので、蔵のような大きな収納空間を設けてもこれを有効利用できる上に使い勝手もさらに良好なものとなる。
【００２２】
また、屋根裏空間Ｕに収納空間Ｋ５を設け、地階Ｌにも収納空間Ｋ１を設けたので、住戸の内部空間を効率的かつ有効に利用することができる。
そして、室内階段Ｓ１、Ｓ２、Ｓ３、収納空間Ｋ１、Ｋ２、Ｋ３、Ｋ４、Ｋ５を構成するパネル体を含む構成材により、住戸の地階Ｌから屋根裏空間Ｕにかけて角筒型のコアを形成したことから、住戸全体の補強強度が向上し、これにより住戸の構造強度上からも有効な効果を発揮する。
【００２３】
次に、図５は第２実施形態の多層型収納付き建物を示すものであり、本実施形態は、地階Ｌから一階１Ｆに通じる室内階段Ｓ１、一階１Ｆから半２階２ＨＦに通じる室内階段Ｓ２、半２階２ＨＦから２階２Ｆに通じる室内階段Ｓ４、２階２Ｆから屋根裏空間Ｕに通じる室内階段（梯子）Ｓ５が設けられ、これら室内階段Ｓ１…に沿って第１実施形態と同様の多層構造の収納空間Ｋ１、Ｋ２、Ｋ３、Ｋ４、Ｋ５を設けている。そして、収納空間Ｋ４、Ｋ５の間の上下空間に新たに収納空間Ｋ６を設けているとともに、一階１Ｆの上部にも、半２階２ＨＦと同一高さの収納空間Ｋ７を設けている。
【００２４】
このような構造とすることにより、第１実施形態と同様の効果が得られるとともに、さらに蔵のような大きな収納空間を設けることができる。
【００２５】
また、図６は第３実施形態の多層型収納付き建物を示すものであり、本実施形態は、本実施形態はパネル組立型の３階建て住戸を例示している。
この構造によると、収納空間Ｋ３、Ｋ８は、室内階段Ｓ２、Ｓ６の踊り場に面しているので、踊り場から収納空間Ｋ３、Ｋ８へと直接出入りすることができ、使い勝手が極めて良好な３階建て住戸となる。
【００２６】
また、収納空間Ｋ２、Ｋ４、Ｋ９の出入り口も、一、二、三階の居室４、２０、４０に面するようにしたので、居室４、２０、４０から収納空間Ｋ２、Ｋ４、Ｋ９へ直接出入りすることができて使い勝手が良好なものとなる。したがって、内部空間を効率的かつ有効に利用し、構造強度上からも有効な３階建て住戸を提供することができる。
【００２７】
なお、上記各実施形態は、本発明を二階建、三階建住宅に適用した例を示したが、その他の種々建物などにも適用できることは言うまでもない。また、各収納空間の天井高としては、使い勝手を考慮した場合、普通の身長の大人が腰や頭を少し低くした状態で歩ける程度の高さ、例えば１．４ｍ程度以上の高さであれば十分であるが、収納物品の形状や収納の仕方、あるいは階高、間取りなどの関係で一部の収納空間についてそれ以下の高さにすることも可能である。また、各収納空間への階段の位置としても、間取りや収まり等の関係で適宜変更してもよい。
【００２８】
【発明の効果】
以上説明したように、本発明に係る多層型収納付き建物によれば、いわゆる蔵のような大きな収納空間を設けてこれを有効利用することができる上に使い勝手も非常に良好であり、また、収納空間を構成する構造材が強固なコアを構成して建物全体の強度を向上させる構造とすることができる。
【図面の簡単な説明】
【図１】本発明に係る第１実施形態の建物の一階を示す平面図である。
【図２】第１実施形態の建物の２階を示す平面図である。
【図３】第１実施形態の建物を示す立面図である。
【図４】第１実施形態の建物の地下を示す平面図である。
【図５】第２実施形態の建物を示す立面図である。
【図６】第３実施形態の建物を示す立面図である。
【符号の説明】
４、２０、４０  居室
２８、３４  出入り口
３０  踊り場
Ｋ１  地階収納空間
Ｋ２、Ｋ３、Ｋ４、Ｋ６、Ｋ７、Ｋ８、Ｋ９  収納空間
Ｋ５  屋根裏収納空間
Ｓ１、Ｓ２、Ｓ３、Ｓ４、Ｓ５、Ｓ６  室内階段
【図１】
0003776293.tif 000002
【図２】
0003776293.tif 000003
【図３】
0003776293.tif 000004
【図４】
0003776293.tif 000005
【図５】
0003776293.tif 000006
【図６】
0003776293.tif 000007